(57)【要約】      （修正有）【課題】大きな照射角度の調整が可能で、実用性と利便性に優れた照明ランプを提供する。【解決手段】少なくとも一つの結合具３、ランプフレーム２、発光装置４および固定ブラケット１を含む。結合具３は、互いに接続されているベース部および結合部３２を有し、ランプフレーム２は取付部を有し、ランプフレーム２が結合具３のベース部に固定され、発光装置４がランプフレーム２の取付部に設けられ、固定ブラケット１は、ベース１１およびベース１１に形成された被結合部１２を有し、被結合部１２とベース１１の間に少なくとも一つの貫通口１２２が形成され、結合具３の結合部３２が固定ブラケット１の被結合部１２に回動可能に結合され、貫通口１２２が結合部３２の回動経路に位置され、結合具３が回転時に通過させ、ランプフレーム２の大角度回転を与える。【選択図】図１
0003142490.tif 000002
【実用新案登録請求の範囲】
【請求項１】
互いに接続されているベース部および結合部を有する少なくとも一つの結合具と、
取付部を有し、前記結合具のベース部に固定されたランプフレームと、
前記ランプフレームの取付部に設けられた発光装置と、
ベースおよび前記ベースに形成された被結合部を有し、前記被結合部とベースの間に少なくとも一つの貫通口が形成され、前記結合具の結合部が、固定ブラケットの被結合部に回動可能に結合され、前記貫通口が前記結合部の回動経路に位置され、結合具が回転の時に通過させ、ランプフレームの大角度回転を与える固定ブラケットと、を含む照明ランプ。
【請求項２】
前記固定ブラケットのベースおよび被結合部の間にネック部が接続され、前記貫通口が前記ネック部上に形成されることを特徴とする請求項１に記載の照明ランプ。
【請求項３】
前記結合具の結合部は一対の弾性アームであり、前記一対の弾性アームは、前記固定ブラケットの被結合部を回動可能に挟んでおり、前記少なくとも一つの貫通口が前記一対の弾性アームの回動経路に位置されることを特徴とする請求項１に記載の照明ランプ。
【請求項４】
前記ランプフレームの取付部は凹溝であり、前記発光装置がその凹溝内に装着されていることを特徴とする請求項１に記載の照明ランプ。
【請求項５】
前記発光装置は、回路基板および前記回路基板に電気的に接続された発光素子を含み、前記回路基板が前記ランプフレームの取付部に固定されることを特徴とする請求項１に記載の照明ランプ。
【請求項６】
前記発光素子は、発光ダイオードであることを特徴とする請求項５に記載の照明ランプ。
【請求項７】
前記発光素子は、電球であることを特徴とする請求項５に記載の照明ランプ。
【請求項８】
前記ランプフレームおよび前記固定ブラケットは、アルミニウム押出型製品であることを特徴とする請求項１に記載の照明ランプ。
【請求項９】
前記ランプフレームは、複数の放熱溝を設けていることを特徴とする請求項１に記載の照明ランプ。
【考案の詳細な説明】
【技術分野】
【０００１】
本考案は、照明ランプに係わり、特に、結合具、ランプフレーム、発光装置および固定ブラケットの組合設計により、角度の大きい照射角度の調整効果を備え、食器棚や、展示棚、冷蔵棚または類似構造の照明に適用し、さらに室内物品または室内展示品への照明までに適用できる照明ランプに関するものである。
【背景技術】
【０００２】
食器棚や、展示棚、冷蔵棚または類似構造内を照明し、さらに、室内で室内物品または室内展示品を照明するため、照明ランプが市販されている。
【０００３】
これらの従来の照明ランプは、固定座、前記固定座に枢接されたランプ本体、および前記ランプ本体内に設けられた発光素子を含む。従来の照明ランプは、固定座により棚内または室内の壁上の予定箇所に固定されて、発光素子からの光を照明すべき位置に照明させる。
【０００４】
様々な棚はその構造がいずれも異なっており、かつ室内物品または展示品の置き場所も異なっているため、照明の要求もそれぞれ異なる。さらに、使用者によって個人的な好嫌い等により照明の要求が異なる。異なる照明の要求を満たすため照射角度を変えて対応するが、ひいてこれらの異なる照射角度の間には大きいずれが存在してしまう。そのため、使用者は、照明ランプの光を必要な照明位置に確実に照射して対応できるように照明ランプの照射角度を大きな角度で調整しなければならない。
【０００５】
このように従来の照明ランプは、ランプ本体と固定座の間の枢接機構により照射角度を調整できるが、その構造設計上の欠点のために照射角度の調整幅が小幅であって、大きな角度で調整することが殆ど不可能である。そのため、上記した照明の要求を満足させることができず、大きな照明効果を期待することができない。例えば商品の展示にとって、光により発生した視覚的効果の吸引力が大幅に低下して、商品の売れ行きに悪影響を及ぼすことが指摘されていた。
【０００６】
本考案は以上の問題点に鑑みて成されたもので、合理的な設計により前記した問題点を解決するものである。
【考案の開示】
【考案が解決しようとする課題】
【０００７】
本考案の主な目的は、ランプフレームの底部側に結合具を増設し、固定ブラケットの上側に被結合部を増設し、並びに被結合部と固定ブラケットの間に貫通孔を増設し、かつ、結合具が固定ブラケットの被結合部に回動可能に結合され、貫通口が結合部の回動経路に位置され、結合具が回転の時に邪魔されなく貫通口を通過させ、ひいてランプフレームの大角度回転の効果を与え、かつこれらの構造設計がさらに安定的に結合、定位の効果もあることによって、本考案の実用性を向上する照明ランプを提供することにある。
【０００８】
本考案の次の目的は、ランプフレームおよび固定ブラケットが、ともに、アルミニウム押出型製品であり、大量生産および組立し易くすることにとって、本考案の便利性を向上する照明ランプを提供することにある。
【課題を解決するための手段】
【０００９】
前記目的を達成すため、本考案の照明ランプは、少なくとも一つの結合具、ランプフレーム、発光装置および固定ブラケットを含む。前記結合具は、互いに接続されているベース部および結合部を有し、前記ランプフレームは、取付部を有し、前記ランプフレームが結合具のベース部に固定され、前記発光装置が前記ランプフレームの取付部に設けられ、前記固定ブラケットは、ベースおよび前記ベースに形成された被結合部を有し、前記被結合部とベースの間に少なくとも一つの貫通口が形成され、前記結合具の結合部が、固定ブラケットの被結合部に回動可能に結合され、前記貫通口が前記結合部の回動経路に位置され、結合具が回転の時に通過させるように機能し、ランプフレームの大角度回転を与える。このようにして、前記結合具が回転の時に邪魔されなく貫通口を通過させ、ひいてランプフレームの大角度回転の効果を与えることによって、本考案は、角度の大きい回転照明を有し、結合、定位がより安定になり、大量生産および組立し易い効果を有し、実用性及び便利性を確かに備えている。
【考案の効果】
【００１０】
本考案に係る照明ランプは、ランプフレームの底部側に結合具を増設し、固定ブラケットの上側に被結合部を増設し、並びに被結合部と固定ブラケットの間に貫通孔を増設し、かつ、結合具が固定ブラケットの被結合部に回動可能に結合され、貫通口が結合部の回動経路に位置され、結合具が回転の時に邪魔されなく貫通口を通過させ、ひいてランプフレームの回転角度を大きく調整することができる。
さらにランプフレームおよび固定ブラケットがともに、アルミニウム押出型製品であるから、大量生産に適し、また組立もし易くなる。
【考案を実施するための最良の形態】
【００１１】
以下に図目を参照しながら本考案の好適な実施の形態について説明する。
なお、本考案は以下の本考案に係る好適な実施の形態の詳しい説明及び添付図面に限定されるものではない。
【００１２】
図１〜図４を参照すると、本考案に係る照明ランプは、少なくとも一つの結合具３、ランプフレーム２、発光装置４および固定ブラケット１を含む。
該結合具３は、互いに接続されているベース部３１および結合部３２を有する。
該ランプフレーム２は、取付部２１を有し、ランプフレーム２が結合具３のベース部３１に固定される。
該発光装置４が該ランプフレーム２の取付部２１に設けられる。
該固定ブラケット１は、ベース１１および該ベース１１に形成された被結合部１２を有する。該被結合部１２とベース１１の間には少なくとも一つの貫通口１２２が形成されている。結合具３の結合部３２が、固定ブラケット１の被結合部１２に回動可能に結合され、かつ貫通口１２２が該結合部３２の回動経路に位置される。結合具３が回転した時にその結合部３２が邪魔にならずに貫通口１２２を通過させることによって、ランプフレーム２の大角度回転の効果を与える。
【００１３】
該ランプフレーム２および固定ブラケット１は、ともに、アルミニウム押出型製品であり、大量生産および組立がし易くなる。
該ランプフレーム２は、さらに、発光素子４２を放熱し易くするため、複数の放熱溝２２を設けている。
該固定ブラケット１のベース１１および被結合部１２の間にネック部１２１が接続され、貫通口１２２がネック部１２１上に形成される。
該固定ブラケット１のベース１１上には、他の固定部材（図示せず）を挿通、固定するための固定孔１１１が設けられる。
該結合具３の結合部３２は一対の弾性アームである。
該一対の弾性アームは、該固定ブラケット１の被結合部１２を回動可能に挟んでおり、貫通口１２２が該一対の弾性アームの回動経路に位置されるため、結合具３が回転の時に該一対の弾性アームが邪魔にならず貫通口１２２を通過させることができる。
その結果、ランプフレーム２の大角度回転の効果が与えられる。
該結合具３は、金属製品または他の強い弾性挟持力を有する材質で作製されることによって、より強い弾性挟持力を持っている。
上記の結合具３および貫通口１２２は、それぞれ対応する複数個であってもよい。
該ランプフレーム２の取付部２１は、凹溝であり、発光素子４がその凹溝内に装着されている。
該発光素子４は、回路基板４１および該回路基板４１に電気的に接続された発光素子４２を含み、回路基板４１が該ランプフレーム２の取付部２１に固定される。
該発光素子４２は、１または複数の発光ダイオードであり、１または複数の電球であっても良い。
該ランプフレーム２の底部側と結合具３のベース部３１との間に、１または複数の固定部材（例えば、ねじ）３３により固定される。
【００１４】
本考案の照明ランプは、ランプフレーム２の底部側に結合具３を増設し、固定ブラケット１の上側に被結合部１２を増設し、並びに被結合部１２と固定ブラケット１の間に貫通孔１２２を増設する。
結合具３が固定ブラケット１の被結合部１２に回動可能に結合され、貫通口１２２が結合部３２の回動経路に位置され、結合具３が回転の時に邪魔にならずに貫通口１２２を通過させ、ひいてランプフレーム２の大角度回転の効果を与え、その回転角度が従来の照明ランプより遥かに大きくなる。
また、本考案の照明ランプのこれらの構造設計は、さらに、安定的に結合、定位の効果もある。
ランプフレーム２および固定ブラケット１がともにアルミニウム押出型製品であることにより、大量生産および組立がし易くなり、経済効果にも有益になることを特徴とする。
ランプフレーム２に複数の放熱溝２２を設けることにより、ランプフレーム２の放熱面積を増加して放熱し易くなり、放熱効率を向上させることができる。
熱源は発光素子４２から発することである。
以上のように、本考案は、角度の大きい回転照明機能を有し、結合、定位がより安定になって、大量生産および組立がし易く、放熱効率が向上するといった効果を有するとともに、優れた実用性及び便利性を備えている。
【００１５】
図５は、本考案の照明ランプが食器棚に使用する時の使用状態を示す図である。
図５に示すように、主に、他の固定部材（図示せず）を固定ブラケット１の固定孔１１１内に挿通することにより、本考案の照明ランプを食器棚の予定位置に固定させる。その結果、ランプフレーム２が食器棚内を大きな角度で回転して所要の照明範囲を照射することができる。
【図面の簡単な説明】
【００１６】
【図１】本考案に係る実施例の斜視外観図である。
【図２】本考案に係る実施例の斜視分解図である。
【図３】本考案に係る実施例の断面図である。
【図４】本考案に係る実施例が大きな角度で回転した後の断面図である。
【図５】本考案に係る実施例が食器棚に使用する時の使用状態を示す図である。
【符号の説明】
【００１７】
１・・・・・固定ブラケット
２・・・・・ランプフレーム
３・・・・・結合具
４・・・・・発光装置
１１・・・・ベース
１２・・・・被結合部
２１・・・・取付部
２２・・・・放熱溝
３１・・・・ベース部
３２・・・・結合部
３３・・・・固定部材（ねじ）
４１・・・・回路基板
４２・・・・発光素子
１１１・・・固定孔
１２１・・・ネック部
１２２・・・貫通口
【図１】
0003142490.tif 000003
【図２】
0003142490.tif 000004
【図３】
0003142490.tif 000005
【図４】
0003142490.tif 000006
【図５】
0003142490.tif 000007